(57)【要約】      （修正有）【課題】美麗で小さく、仏像副葬品の代替として使用可能な、新しい副葬品を提供する。【解決手段】米２，米全体を覆う接着剤層３，及び接着剤層全体を覆う金属箔層４を具えてなる副葬品１であって、金属箔層は金箔からなることが好ましい。仏像副葬品の代用として、遺体と共に棺に入れて用いる。中に仏が居ると広く信じられている米の形状と、高貴且つ荘厳な印象を与える外観を有しているから、故人が仏に抱かれ成仏することを演出できる。嵩張らず、棺に入れても不釣合いな印象を与えることがない。多くの葬儀参列者が棺に納めることができるから、参列者の悲しみを癒すことができる。【選択図】図３
0003142199.tif 000002
【実用新案登録請求の範囲】
【請求項１】
米，米全体を覆う接着剤層，及び接着剤層全体を覆う金属箔層を具えてなることを特徴とする副葬品。
【請求項２】
金属箔層が、金箔からなることを特徴とする請求項１に記載の副葬品。
【考案の詳細な説明】
【技術分野】
【０００１】
本考案は、米の形状を有する副葬品に関する。
【背景技術】
【０００２】
故人の成仏や安らかな永眠を願う目的で、火葬の際、遺体と共に棺に入れられる各種副葬品が知られている。仏式の葬儀においては、故人の成仏を祈るための仏像が棺に入れられることがあり、それに適した仏像副葬品が開示されている。
【０００３】
例えば、死者の冥福を祈る遺族の深い想いを込めることを可能とする、仏像副葬品が開示されている（例えば、特許文献１参照）。
【０００４】
【特許文献１】登録実用新案第３０４３１３２号公報
【考案の開示】
【考案が解決しようとする課題】
【０００５】
しかしながら、上記特許文献１を初めとする従来の仏像副葬品は、形状複雑な仏像を、葬儀参列者が視認できる程度の大きさで作製する必要があった。そのために、棺に入れられる仏像副葬品の数は限られ、少数且つ特定の参列者しか当該仏像副葬品を棺に納めることができなかった。仏像副葬品が嵩張るために、棺に不釣合いな印象を与えることも多かった。
【０００６】
また、火葬の際に有害ガスを発生し、又は遺骨を汚す虞があることから、仏像副葬品に塗装又は箔仕上げを行うことができなかった。そのために、仏像副葬品は著しく質素な物となり、遺族の悲しみを癒すどころか、侘しさをいや増しに募らせることさえあった。
【０００７】
上記問題点に鑑み、本考案は、故人の成仏を祈る遺族の心を満足させる、新しい副葬品を提供することを課題とする。即ち、美麗で小さく、仏像副葬品の代替として使用可能な副葬品を提供することを課題とする。
【課題を解決するための手段】
【０００８】
上記課題を解決する第１の考案は、米，米全体を覆う接着剤層，及び接着剤層全体を覆う金属箔層を具えてなる副葬品である。
【０００９】
第２の考案は、第１の考案に係る副葬品であって、金属箔層が、金箔からなる副葬品である。
【考案の効果】
【００１０】
本考案の副葬品は、中に仏が居ると広く信じられている米の形状を有しているから、遺体と共に棺に入れることによって、故人が仏に抱かれ成仏することを演出でき、仏像副葬品の代用として用いることができる。
【００１１】
本考案は、米に箔が貼着された小さな副葬品であるから、嵩張らず、棺の中に多数入れることができる。多数の参列者が、それぞれ、副葬品を棺に入れることができるから、故人の成仏を祈る参列者の願いを満足させることができる。また、本考案に係る副葬品は、嵩張らず、棺に不釣合いな印象を与えることが回避される。
【００１２】
本考案を、遺体の上に重ねず、棺の端部に入れることができるから、金属箔が融けたとしても、遺骨を汚すことが回避される。
【００１３】
火葬によって、本考案を構成する米は消失し、金属箔は融解し又は消失するが、何れも有害ガスを発生し難い。接着剤に含有される成分から有害ガスが発生したとしても、本考案に用いられる接着剤は微量であるから、参列者又は火葬場の従業者に健康被害を及ぼすことが回避される。
【００１４】
本考案に係る副葬品は、全体が金属箔で覆われていて、美麗な外観を有する。叙上の通り、遺骨を汚し難く有害ガスを発生し難い副葬品でありながら、美麗な外観によって、遺族の悲しみや侘しさを癒すことができる。
【００１５】
第２の考案に係る副葬品は、金属箔層が金箔からなるから、より美麗な外観によって、遺族の悲しみや侘しさを癒すことができる。金は仏の象徴とされているから、故人が仏に抱かれ成仏することを演出するのに、より相応しい副葬品である。
【考案を実施するための最良の形態】
【００１６】
以下に、本考案を実施するための最良の形態を、実施例を示す図面を参照して詳細に説明する。尚、本実施例に、本考案は限定されるものではない。
【００１７】
図１は、本考案の副葬品を示す斜視図である。図２は、本考案の副葬品を示す上面図である。また、図３は、図２のＡ−Ａ線断面図である。
【００１８】
本考案に係る副葬品１は、図１乃至図３に示される様に、米２，米２全体を覆う接着剤層３，及び接着剤層３全体を覆う金属箔層４を具えてなる。
【００１９】
米２は、イネ科イネ属植物の果実であればよく、特定の品種，又は生物分類における特定の種若しくは亜種に限定されない。また、特定の精米工程を経たものに限定されず、例えば、籾米，玄米，分搗き米，胚芽米，精白米等を用いることができる。
【００２０】
接着剤層３は、接着剤を揮発性有機溶剤に溶解した溶液を米２に塗布した後、揮発性有機溶剤を揮散させ、接着剤を硬化させることによって形成される。接着剤の種類は特に限定されず、揮発性有機溶剤の種類は、接着剤を溶解できれば特に限定されない。米２が小さな材料であるから、個別の米２に逐次接着剤を塗布することは非効率的であって、例えば、前記溶液をエアブラシ等で噴霧することが好ましい。この場合、メッシュ状のネット上に米２を載置し溶液を噴霧することによって、余剰の溶液が落下して除かれ、２粒以上の米２同士が接着することが回避される。
【００２１】
前記溶液を塗布することによって、米２全体を覆う、表面の滑らかな接着剤層３が形成される。米２の表面には微細な凹凸があり、金属箔を直接貼着することは極めて困難であるが、接着剤層３を形成することによって、確実に金属箔を貼着することが可能となる。
【００２２】
金属箔層４は、金属箔を接着剤層３に貼着することによって形成される。化学的に安定でれば金属箔の材質は特に限定されず、例えば、金，銀，白金等の金属単体，又は真鍮，白銅等の合金が用いられる。これら金属箔をそのまま用いても良く、表面に塗料が塗布された金属箔を用いても良い。金属箔としては、高貴で荘厳な印象を与える、金箔，銀箔又は白金箔が好適であり、仏の象徴とされる金箔が最も好適である。
【００２３】
金属箔層４を形成する代わりに、金属粉及び透明な塗料を含有する液体を噴霧することによっても、金属の層を形成することができる。しかし、この場合、定着された金属粉は光沢を持たず、金属箔を貼着した場合に比べて外観が劣る。
【実施例】
【００２４】
米２として、市販の精白米を用いた。合成樹脂製ネット（２０メッシュ）上に、２粒以上の精白米が互いに接触しない様に留意しながら、精白米を載置した。
【００２５】
接着剤（Ｚ商会製；商品名  ”Ｚブラック  箔押し用”）  １００ｍＬに、ホワイトガソリン  １Ｌを加えて溶解し、接着剤の溶液を調製した。該溶液を、エアブラシを用い、前記精白米に噴霧した。精白米１ｋｇ当り、５０ｍＬの溶液を使用した。
【００２６】
ネット上に載置したまま約２４時間風乾し、ホワイトガソリンを揮発させた。接着剤が硬化し、精白米の周囲に、厚みがほぼ均一で表面が滑らかな接着剤層３が形成されたことを確認した。
【００２７】
上記工程で得られた米を、上記同様に、合成樹脂製ネット上に載置し、接着剤の溶液を噴霧した。ただし、溶液中の接着剤濃度は、上記の２分の１とした。ネット上で約２時間風乾することによって、２回目に噴霧された接着剤が硬化し始め、金属箔を貼着可能な状態となった。これに金箔を貼着して、本考案に係る副葬品１を得た。
【産業上の利用可能性】
【００２８】
叙上の通り、本考案は副葬品として有用であるが、各種の装飾品としても用いることができる。例えば、展示物を引き立てるためにショーケースの底に敷き詰め、又は屋内に載置してインテリアとして使用することもできる。
【図面の簡単な説明】
【００２９】
【図１】本考案の副葬品を示す斜視図である。
【図２】本考案の副葬品を示す上面図である。
【図３】図２のＡ−Ａ線断面図である。
【符号の説明】
【００３０】
１  副葬品
２  米
３  接着剤層
４  金属箔層
【図１】
0003142199.tif 000003
【図２】
0003142199.tif 000004
【図３】
0003142199.tif 000005